【手続補正書】
【提出日】平成21年11月20日(2009.11.20)
【手続補正１】
【補正対象書類名】特許請求の範囲
【補正対象項目名】全文
【補正方法】変更
【補正の内容】
【特許請求の範囲】
【請求項１】
撮影レンズを介して被写体像を結像し且つ上記被写体像を映像信号に変換する撮像手段と、
上記撮像手段の出力に基づいて、上記撮影レンズのピント状態を示す焦点評価値を所定時間間隔で演算する焦点評価値演算手段と、
撮影者によるマニュアルフォーカスで上記撮影レンズのピント合わせが為されている最中に、上記焦点評価値演算手段の演算結果を表示する評価値表示手段と、
上記撮影者によるマニュアルフォーカスで上記撮影レンズのピント合わせが為されている最中に、上記焦点評価値演算手段の出力に基づいて上記焦点評価値の最大値を決定し、該最大値のレベルを表示する最大値表示手段と、
を具備することを特徴とするカメラの焦点状態表示装置。
【請求項２】
撮影レンズを介して被写体像を結像し且つ上記被写体像を映像信号に変換する撮像手段と、
上記撮像手段の出力に基づいて、上記撮影レンズのピント状態を示す焦点評価値を所定時間間隔で演算する焦点評価値演算手段と、
撮影者によるマニュアルフォーカスで上記撮影レンズのピント合わせが為されている最中に、上記焦点評価値演算手段の演算結果を表示する評価値表示手段と、
上記撮影者によるマニュアルフォーカスで上記撮影レンズのピント合わせが為されている最中に上記焦点評価値演算手段の出力に基づいて上記焦点評価値の最大値を決定し、さらに最新の上記焦点評価値が、上記最大値から所定値以上低下した値となった後再度上記最大値に一致したか否かを判断する最大値一致判断手段と、
上記最大値一致判断手段が、上記焦点評価値が再度上記最大値に一致したと判断した場合には、その旨を上記撮影者に報知する最大値一致報知手段と、
を具備することを特徴とするカメラの焦点状態表示装置。
【請求項３】
撮影レンズを介して被写体像を結像し且つ上記被写体像を映像信号に変換する撮像手段と、
上記撮像手段の出力に基づいて、上記撮影レンズのピント状態を示す焦点評価値を所定時間間隔で演算する焦点評価値演算手段と、
撮影者によるマニュアルフォーカスで上記撮影レンズのピント合わせが為されている最中に、上記焦点評価値演算手段の演算結果を表示する評価値表示手段と、
上記撮影者によるマニュアルフォーカスで上記撮影レンズのピント合わせが為されている最中に、上記焦点評価値演算手段の出力に基づいて上記焦点評価値の最大値を決定し、該最大値のレベルを表示する最大値表示手段と、
上記撮影者によるマニュアルフォーカスで上記撮影レンズのピント合わせが為されている最中に、最新の上記焦点評価値が、上記最大値表示手段の出力である最大値から所定値以上低下した値となった後再度上記最大値に一致したか否かを判断する最大値一致判断手段と、
上記最大値一致判断手段が上記焦点評価値が再度上記最大値に一致したと判断した場合には、その旨を上記撮影者に報知する最大値一致報知手段と、
を具備することを特徴とするカメラの焦点状態表示装置。
【請求項４】
上記最大値一致報知手段は、上記評価値表示手段による表示の色を変更することで、上記報知を行うことを特徴とする請求項２又は３に記載のカメラの焦点状態表示装置。
【請求項５】
上記評価値表示手段は、上記焦点評価値演算手段の演算結果を表示する際の表示のスケールを、上記焦点評価値演算手段の出力に基づいて決定することを特徴とする請求項１乃至３のうち何れか一つに記載のカメラの焦点状態表示装置。
【請求項６】
撮影レンズを介して被写体像を結像し且つ上記被写体像を映像信号に変換する撮像手段と、
上記撮像手段の出力に基づいて、上記撮影レンズのピント状態を示す焦点評価値を所定時間間隔で演算する焦点評価値演算手段と、
撮影者によるマニュアルフォーカスで上記撮影レンズのピント合わせが為されている最中に、上記焦点評価値演算手段の演算結果を表示する評価値表示手段と、
上記映像信号に対応する画像の略全体をスルー画表示するモードである非拡大モード、または上記映像信号に対応する画像の一部を拡大してスルー画表示するモードである拡大モードに切り替える為のモード切り替え手段と、
を具備し、
上記焦点評価値演算手段は、上記映像信号に対応する画像における焦点評価値演算を行う対象の領域である焦点評価値演算領域を、上記非拡大モード時と上記拡大モード時とで異なる領域として設定することを特徴とするカメラの焦点状態表示装置。
【請求項７】
上記焦点評価値演算手段は、上記非拡大モード時における上記焦点評価値演算領域を、上記拡大モード時における上記焦点評価値演算領域より大きく設定することを特徴とする請求項６に記載のカメラの焦点状態表示装置。
【手続補正２】
【補正対象書類名】明細書
【補正対象項目名】００１１
【補正方法】変更
【補正の内容】
【００１１】
上記の目的を達成するために、本発明の第１の態様によるカメラの焦点状態表示装置は、撮影レンズを介して被写体像を結像し且つ上記被写体像を映像信号に変換する撮像手段と、上記撮像手段の出力に基づいて、上記撮影レンズのピント状態を示す焦点評価値を所定時間間隔で演算する焦点評価値演算手段と、撮影者によるマニュアルフォーカスで上記撮影レンズのピント合わせが為されている最中に、上記焦点評価値演算手段の演算結果を表示する評価値表示手段と、上記撮影者によるマニュアルフォーカスで上記撮影レンズのピント合わせが為されている最中に、上記焦点評価値演算手段の出力に基づいて上記焦点評価値の最大値を決定し、該最大値のレベルを表示する最大値表示手段と、を具備することを特徴とする。
【手続補正３】
【補正対象書類名】明細書
【補正対象項目名】００１２
【補正方法】変更
【補正の内容】
【００１２】
上記の目的を達成するために、本発明の第２の態様によるカメラの焦点状態表示装置は、撮影レンズを介して被写体像を結像し且つ上記被写体像を映像信号に変換する撮像手段と、上記撮像手段の出力に基づいて、上記撮影レンズのピント状態を示す焦点評価値を所定時間間隔で演算する焦点評価値演算手段と、撮影者によるマニュアルフォーカスで上記撮影レンズのピント合わせが為されている最中に、上記焦点評価値演算手段の演算結果を表示する評価値表示手段と、上記撮影者によるマニュアルフォーカスで上記撮影レンズのピント合わせが為されている最中に上記焦点評価値演算手段の出力に基づいて上記焦点評価値の最大値を決定し、さらに最新の上記焦点評価値が、上記最大値から所定値以上低下した値となった後再度上記最大値に一致したか否かを判断する最大値一致判断手段と、上記最大値一致判断手段が、上記焦点評価値が再度上記最大値に一致したと判断した場合には、その旨を上記撮影者に報知する最大値一致報知手段と、を具備することを特徴とする。
【手続補正４】
【補正対象書類名】明細書
【補正対象項目名】００１３
【補正方法】変更
【補正の内容】
【００１３】
上記の目的を達成するために、本発明の第３の態様によるカメラの焦点状態表示装置は、撮影レンズを介して被写体像を結像し且つ上記被写体像を映像信号に変換する撮像手段と、上記撮像手段の出力に基づいて、上記撮影レンズのピント状態を示す焦点評価値を所定時間間隔で演算する焦点評価値演算手段と、撮影者によるマニュアルフォーカスで上記撮影レンズのピント合わせが為されている最中に、上記焦点評価値演算手段の演算結果を表示する評価値表示手段と、上記撮影者によるマニュアルフォーカスで上記撮影レンズのピント合わせが為されている最中に、上記焦点評価値演算手段の出力に基づいて上記焦点評価値の最大値を決定し、該最大値のレベルを表示する最大値表示手段と、上記撮影者によるマニュアルフォーカスで上記撮影レンズのピント合わせが為されている最中に、最新の上記焦点評価値が、上記最大値表示手段の出力である最大値から所定値以上低下した値となった後再度上記最大値に一致したか否かを判断する最大値一致判断手段と、上記最大値一致判断手段が上記焦点評価値が再度上記最大値に一致したと判断した場合には、その旨を上記撮影者に報知する最大値一致報知手段と、を具備することを特徴とする。
【手続補正５】
【補正対象書類名】明細書
【補正対象項目名】００１４
【補正方法】変更
【補正の内容】
【００１４】
上記の目的を達成するために、本発明の第４の態様によるカメラの焦点状態表示装置は、撮影レンズを介して被写体像を結像し且つ上記被写体像を映像信号に変換する撮像手段と、上記撮像手段の出力に基づいて、上記撮影レンズのピント状態を示す焦点評価値を所定時間間隔で演算する焦点評価値演算手段と、撮影者によるマニュアルフォーカスで上記撮影レンズのピント合わせが為されている最中に、上記焦点評価値演算手段の演算結果を表示する評価値表示手段と、上記映像信号に対応する画像の略全体をスルー画表示するモードである非拡大モード、または上記映像信号に対応する画像の一部を拡大してスルー画表示するモードである拡大モードに切り替える為のモード切り替え手段と、を具備し、上記焦点評価値演算手段は、上記映像信号に対応する画像における焦点評価値演算を行う対象の領域である焦点評価値演算領域を、上記非拡大モード時と上記拡大モード時とで異なる領域として設定することを特徴とする。